(57)【特許請求の範囲】
【請求項１】
合成反応を行う複数個の反応容器が配列されている反応ブロックと、前記反応ブロックの各反応容器に反応液を分注する分注手段とを備え、予め設定された分注手順に従って反応液が分注供給された反応容器において合成反応が行われるよう構成された自動合成装置において、
（ａ）前記反応ブロックの各反応容器にそれぞれ対応する反応容器マークを表示する反応ブロック表示手段と、
（ｂ）前記反応容器マークの並びを何分割するのかを表した分割パターンを予め提示するパターン提示手段と、
（ｃ）前記分割パターンを選択するパターン選択手段と、
（ｄ）前記パターン提示手段とパターン選択手段とによって決定された反応容器マークの並びに対する分割パターンに基づいて、分注手順を作成する分注手順作成手段とを備えていることを特徴とする自動合成装置。
【請求項２】
請求項１に記載の自動合成装置において、
入力操作用の入力操作装置を更に備え、
前記分注手順作成手段が分注手順を作成する際、分割された反応容器マークの並びの反応容器マークの１つを前記入力操作装置で選択指定すると、残りの分割についても選択された反応容器マークと同じ領域に相当する反応容器マークが同時に選択指定されることを特徴とする自動合成装置。
【発明の詳細な説明】
【０００１】
【発明の属する技術分野】
この発明は、化合物を自動的に合成する自動合成装置に係り、特に、試薬及び溶媒（反応液）を反応容器へ分注供給する分注手順（分注プロトコル）を設定するための技術に関する。
【０００２】
【従来の技術】
製薬、ライフサイエンス、化学、材料等の研究分野において用いられる従来の自動合成装置は、合成反応を行う多数個の反応容器が配列された反応ブロックを備えており、予め設定された分注手順である分注プロトコルに基づいて、各反応容器内に試薬や溶媒などをそれぞれ分注するとともに、反応ブロックを例えば加熱、振動させることによって、各反応容器内における合成反応を促進させ、各反応容器内に合成化合物を生成するように構成されている。
【０００３】
分注プロトコルを設定するには、先ず、作業者が、合成反応の一連の手順を示す合成手順（合成プロトコル）を設定する合成プロトコル作成画面をモニタに表示させる。表示された合成プロトコル作成画面に分注プロトコルに関して直接手入力で分注プロトコルを設定する。或いは、分注先をマウス等で選択して合成プロトコル作成画面に入力する。
【０００４】
詳述すると、図９に示すように、画面表示モニタ上に分注プロトコル設定用画面Ｐ１と合成プロトコル作成画面Ｐ２とが重畳表示される。分注プロトコル設定用画面Ｐ１には、試薬及び溶媒の吸引元、分注先等の指定等の機能が備わっている。一方、合成プロトコル作成画面Ｐ２には、合成反応の一連の手順、例えば、分注、攪拌、容器洗浄等の設定等の機能が備わっている。また、合成プロトコル作成画面Ｐ２上には、図１０に示すように、それぞれの合成のコマンド、例えば、分注、攪拌、容器洗浄等に関するコマンドについてタブ式インデックス群が表示されており、それぞれの合成のコマンドについて各タブ式インデックスを選択指定することができる。例えば、分注に関するタブ式インデックス、即ち分注インデックスＰ２ａを選択すると、手入力による設定、例えば、分注量の設定等の操作や、分注プロトコル設定用画面Ｐ１で設定した分注プロトコルの内容が分注インデックスＰ２ａ上に取り込まれて表示される。
【０００５】
さらに、詳述すると、分注プロトコル設定用画面Ｐ１には、図１１に示すように、中寄り左上区域ＲＡにある頻用試薬マークＭＡと中寄り左下区域Ｒａにある常用試薬（合成試薬）マークＭａと左端区域ＲＢにある溶媒マークＭＢ及び右端区域ＲＣにある反応容器マークＭＣとが選択指定用マークとして一覧表示されていて、マウス２２でもって試薬および溶媒と反応容器の選択指定が行える構成となっている。それぞれのマークの並びは、実際の容器の並びに各々対応付けられている。それぞれのマークの並びをマウスでクリックまたはドラッグすることにより、試薬及び溶媒の吸引元、分注先が決まり、その結果が合成プロトコル作成画面Ｐ２上の分注インデックスＰ２ａ上に取り込まれて表示される。
【０００６】
例えば、分注プロトコル設定用画面Ｐ１の合成試薬マークＭａについてＡ行目で１列目にある１Ａを、溶媒マークＭＢについて溶媒ー４を、反応容器マークＭＣについてＡ列とＣ列とＥ列とＧ列との各縦一列（１行から１２行まで）を、それぞれ選択指定する。選択指定されたそれぞれのマークの画面上の色が反転して、その結果が図１０に示すような分注インデックスＰ２ａ上に取り込まれて表示される。分注インデックスＰ２ａ上の吸引の欄には吸引元である合成試薬ラックが、吸引の下の容器の欄には選択された合成試薬ラック上の合成試薬マークＭａである１Ａが、注入の欄には分注先である反応ラックーＳが、注入の下の容器の欄には選択された反応ラックーＳ上の反応容器マークＭＣであるＡ列とＣ列とＥ列とＧ列との各縦一列（１Ａ、１Ｃ、１Ｅ、…、１２Ｅ、１２Ｇ）が、それぞれ表示される。
【０００７】
上記で設定された分注プロトコルに基づいて、各反応容器内に試薬や溶媒などがそれぞれ分注される。
【０００８】
【発明が解決しようとする課題】
しかしながら、このような構成を有する従来例の場合には、次のような問題がある。
即ち、上記の従来例では分注先である反応容器は全部で９６個である。吸引元である試薬及び溶媒の設定、分注量等が反応容器毎に様々なので、マウスのドラッグにより、複数個を選択した場合でも、従来の分注プロトコルの設定では手間がかかる。反応容器が１９２個、３８４個の場合には、それに伴って分注プロトコルはさらに煩雑化する。従って、作業者にとって、大きな負担となり、分注プロトコルの設定までの作業効率が悪くなる。また、手入力、マウスのドラッグ指定によって、作業者の入力設定ミスをも引き起こす。
【０００９】
この発明は、このような事情に鑑みてなされたものであって、合成反応を行うための分注プロトコルを簡単に設定することができる自動合成装置を提供することを課題とする。
【００１０】
【課題を解決するための手段】
本発明は、このような目的を達成するために、次のような構成をとる。
すなわち、請求項１に係る発明は、合成反応を行う複数個の反応容器が配列されている反応ブロックと、反応ブロックの各反応容器に反応液を分注する分注手段とを備え、予め設定された分注手順に従って反応液が分注供給された反応容器において合成反応が行われるよう構成された自動合成装置において、（ａ）反応ブロックの各反応容器にそれぞれ対応する反応容器マークを表示する反応ブロック表示手段と、（ｂ）反応容器マークの並びを何分割するのかを表した分割パターンを予め提示するパターン提示手段と、（ｃ）分割パターンを選択するパターン選択手段と、（ｄ）パターン提示手段とパターン選択手段とによって決定された反応容器マークの並びに対する分割パターンに基づいて、分注手順を作成する分注手順作成手段とを備えていることを特徴とするものである。
【００１１】
また、請求項２に係る発明は、請求項１に記載の自動合成装置において、入力操作用の入力操作装置を更に備え、分注手順作成手段が分注手順を作成する際、分割された反応容器マークの並びの反応容器マークの１つを入力操作装置で選択指定すると、残りの分割についても選択された反応容器マークと同じ領域に相当する反応容器マークが同時に選択指定されることを特徴とするものである。
【００１２】
【作用】
請求項１に記載の発明の作用について説明する。
本発明に係る自動合成装置によれば、反応ブロック表示手段とパターン提示手段とによって、反応容器マークの並びに対する分割パターンが画面上に表示される。組合せ選択手段によって、その分割パターンが選択されるので、１つの分割パターンについて即座に決まる。分注手順作成手段により選択設定された前記分割パターンに応じて、各反応容器内に試薬や溶媒などがそれぞれ分注される。
【００１３】
【発明の実施の形態】
以下、図面を参照してこの発明の一実施例を説明する。
図１はこの発明の実施例に係る有機自動合成装置の全体構成を示すブロック図である。図２は実施例装置の反応系の構成を示す平面図である。図３は実施例装置の反応ブロックの要部構成を示す概略図である。
【００１４】
実施例の自動合成装置は、図１に示すように、実際に合成反応が行われる反応系と、その反応系の動きを制御する制御系とを備えている。以下、実施例装置の反応系の構成から先に説明する。
【００１５】
実施例装置は、合成反応を行う複数個の反応容器２が配列されている反応ブロック１と、反応容器（反応ベッセル）２内に例えば試薬及び溶媒などの複数種類の反応液を所定の手順に従って分注する液体分注部３とを備えている。各反応容器２は、図２に示すように、縦横マトリックス状の配列で反応ブロック１に設置される。反応ブロック１に設置される反応容器２の数は、特定の数に限られず、例えば９６個や３８４個といった数十から数百前後の容器数が例示される。実施例装置の場合、試薬及び溶媒が共通の分注機構により反応容器２に分注供給される形態であるが、試薬と溶媒がそれぞれ別の分注機構によって分注供給されるような形態であってもよい。
【００１６】
液体分注部３は、シリンジ４とこのシリンジ４を左右（Ｘ）・前後（Ｙ）・上下（Ｚ）に移動させるシリンジ移動機構部５とを備え、制御系側からの指令信号に従ってシリンジ移動機構部５が作動して、シリンジ４が必要な位置へ移動されるように構成されている。
【００１７】
一方、反応ブロック１の傍らには、使用量が比較的多い薬液などが貯留されている大きめの頻用試薬容器（頻用試薬バイアル）６と、使用量が比較的少ない薬液などが貯留されている小さめの常用試薬容器（常用試薬バイアル）７とが、それぞれ必要本数セットするための場所が設けられている。また、反応ブロック１の傍らには、溶媒が貯留されている溶媒容器（ガロンビン）８を必要本数セットするための場所も設けられており、セットされた各溶媒容器８はそれぞれ送液ライン９によってシリンジ４と接続可能に構成されている。頻用試薬容器６や常用試薬容器７、溶媒容器８の装置へのセットは作業者によって行われる。なお、これら容器６，７，８に貯留されている試薬や溶媒は、この発明における反応液に相当する。
【００１８】
薬液を反応容器２に分注供給する場合、図１の中に点線で図示するように、シリンジ４を分注対象の薬液が貯留されている頻用試薬容器６あるいは常用試薬容器７の位置まで移動させてシリンジ針４ａから試薬を吸引させた後、シリンジ４の試薬を分注する反応容器２の位置へ移動させてから、吸引試薬をシリンジ針４ａから反応容器２へ注入する。
【００１９】
溶媒を反応容器２に分注供給する場合、分注対象の溶媒が貯留されている溶媒容器８から送液ライン９経由で溶媒をシリンジ４に導入させるとともに、シリンジ４を溶媒分注対象の反応容器２の位置へ移動させて、導入溶媒をシリンジ針４ａから反応容器２へ注入させる。なお、通常は上述のように、頻用試薬容器６あるいは常用試薬容器７の位置で液の吸引を行い、反応容器２の位置で液の注入を行うようシリンジ４を移動させるのであるが、実施例装置の場合、逆に、反応容器２の位置で液の吸引を行い、頻用試薬容器６あるいは常用試薬容器７の位置で液の注入を行うようシリンジ４を移動させることも可能な構成となっている。
【００２０】
実施例装置の反応ブロック１の場合、図３に示すように、各反応容器２の注入口を蓋するシート状の共通セプタム１０と、反応容器２の底側内部を塞ぐように各反応容器２ごとに取り付けられた加圧透液型フィルタ１１と、反応容器２の底に連通するよう各反応容器２ごとに配管されたドレイン１２が設けられているとともに、反応容器２の注入口側にガスボンベＧＢからの加圧気体（例えば高圧不活性ガス）を導入するガス導入ライン１３が設けられている。したがって、試薬注入あるいは溶媒注入の際には、シリンジ針４ａが共通セプタム１０を貫通して反応容器２の中まで進入することになる。また、各反応容器２の中には適当量の固相反応用のレジン粒１４がそれぞれ投入されている他、ガス導入ライン１３の末端には、開閉弁１５が設けられており、反応容器２に加圧気体を導入する時は開閉弁１５が閉じられるよう構成されている。
【００２１】
また、実施例装置には、合成反応実施中の反応ブロック１を振動させて各反応容器２の中のレジン粒１４を揺する振動部１６が設置されている他、反応過程で各反応容器２に生じる不要物を排出する排出用トレイ１７、及び、合成反応により各反応容器２で得られた合成化合物を各反応容器２ごとに回収する回収用ブロック１８も、それぞれ反応ブロック１の下側位置と待機位置の間を移動可能に配設されている。
【００２２】
なお、実施例の自動合成装置における合成プロセスでは、必要な試薬や溶媒が分注供給された各反応容器２のレジン粒１４の内で固相反応が進行して目的の合成化合物が得られる。合成反応終了後は、レジン粒１４の内部に生成した化合物を取り出す抽出用（酸性）薬液を注入口から送り込む。化合物が抽出されたら、ガスボンベＧＢの加圧気体をガス導入ライン１３から導入し、合成化合物を抽出用薬液と一緒に加圧透液型フィルタ１１を透過させてドレイン１２から回収用ブロック１８へ押し流す。
【００２３】
次に、実施例装置の制御系の構成を説明する。実施例の自動合成装置の場合、装置稼働に必要な種々の画面を表示する映像表示モニタ１９や装置稼働に必要な種々の制御を適時に実行するコントロール部２０を備えるとともに、このコントロール部２０に接続される例えば入力操作用のキーボード（操作卓）２１やマウス（ポインティングデバイス）２２など入力操作装置を備えている他、後述する分割パターンを提示する、分割パターンを選択する、反応マークを表示する、または分注手順（分注プロトコル）を作成するため等の特徴的な構成を備えている。以下、この特徴的な構成を中心として具体的に説明する。
【００２４】
実施例装置のコントロール部２０は、装置稼動に必要な画面を映像表示モニタ１９に映し出す画面表示部２３と、合成プロトコル内の分注手順（分注プロトコル）通りに分注動作を実行させるための指令信号を液体分注部３へ送出する分注制御部２４と、反応ブロック１の各反応容器２の並びにそれぞれ対応するように表示された反応容器マークに基づいて前記反応容器マークの並びに対する分割パターンを予め提示する組合せ提示部２５と、入力操作に基づいて前記分割パターンを選択する組合せ選択部２６と、組合せ提示部２５と組合せ選択部２６とによって決定された反応容器マークの並びに対する分割パターンに基づいて分注手順を作成する分注プロトコル作成部２７とを備えている。
【００２５】
画面表示部２３は、作業者が合成プロトコルを設定するための合成プロトコル作成画面や、前記等を表示させて分注プロトコルを設定するための分注プロトコル設定用画面といったウィザード形式の画面などの各種の画面を適宜表示するものである。なお、この画面表示部２３に表示される前記分注プロトコル設定用画面は、本発明における反応ブロック表示手段に相当する。
【００２６】
分注制御部２４は、合成プロトコルに含まれる分注工程に応じた指令信号を液体分注部３へ送信する。また、合成プロトコルに含まれる他の工程に応じた指令信号も反応系側の対応する機構に送られる。そして、合成プロトコルに含まれる各工程が実行されることで、各反応容器２にはそれぞれの条件に応じた合成化合物がそれぞれ生成される。
【００２７】
組合せ提示部２５は、画面表示部２３によって映像表示モニタ１９の分注プロトコル設定用画面に表示された反応容器マークに基づいて、前記反応容器マークの並びに対する分割パターンを予め提示するものである。例えば、９６個の反応容器２からなるブロックで構成されていて、行方向に（１、２、…、１１、１２）行、列方向に（Ａ、Ｂ、Ｃ、Ｄ、Ｅ、Ｆ、Ｇ、Ｈ）列ずつ並べられているとき、図４に示すように、分割提示画面２５Ａが呼び出される。分割提示画面２５Ａには、９６個の反応容器２の並びにそれぞれ対応して９６個の各反応マークが並べられていて、その９６個の反応マークに対する横の分割パターンがそれぞれ提示される。分割パターン２５ａには１分割、即ち分割されていない１２行×８列が、分割パターン２５ｂには２分割、即ち６行×８列×２分割の分割パターンが、分割パターン２５ｃには３分割、即ち４行×８列×３分割の分割パターンが、分割パターン２５ｄには４分割、即ち３行×８列×４分割の分割パターンが、分割パターン２５ｅには６分割、即ち２行×８列×６分割の分割パターンがそれぞれ提示される。なお、これらの分割パターンは予め設定されていて反応容器２の数に応じていつでも呼び出されるように構成されている。また、上述した実施例では、反応容器２の数は９６個だが、特定の数に限られず、例えば１９２個や３８４個といった容器数等、特に限定されない。なお、図４の分割提示画面２５Ａでは６分割を超える分割について提示していないが、それを超える分割をも提示する、例えば、１２分割をも提示するような構成であってもよい。また、この組合せ提示部２５は、本発明におけるパターン提示手段に相当する。
【００２８】
組合せ選択部２６は、組合せ提示部２５によって提示された分割パターンを、キーボード２１やマウス２２を用いて選択するものである。例えば、分割提示画面２５Ａには、図４に示すように、分割パターン２５ａから２５ｅまでそれぞれ対応するように番号が割り振られている。即ち、１分割の分割パターン２５ａには番号１が、２分割の分割パターン２５ｂには番号２が、３分割の分割パターン２５ｃには番号３が、４分割の分割パターン２５ｄには番号４が、６分割の分割パターン２５ｅには番号５がそれぞれ割り振られている。前記番号を選択するアイコン２６Ａをマウス２２でクリックすれば、分割パターンに応じて割り振られた番号を示す番号選択画面２６Ｂが分割提示画面２５Ａに重畳表示（プルダウン表示）される。番号選択画面２６Ｂに対してスクロール操作を行い、選択する分割パターンに対応する番号をマウス２２でクリックすれば、その番号が選択される。例えば、３分割の分割パターン２５ｃを選択する場合、分割パターン２５ｃに対応する番号３の『３』を番号選択画面２６Ｂよりマウス２２でクリックすると、その分割パターン２５ｃが選択される。なお、番号を選択する方法は、プルダウン表示画面からマウス２２でクリックする方法だけに限らず、分割パターンに応じて割り振られた番号をキーボード２１等を用いて手入力することによる選択方法等、特に限定されない。なお、この組合せ選択部２６は、本発明における組合せ選択手段に相当する。
【００２９】
分注プロトコル作成部２７は、組合せ提示部２５と組合せ選択部２６とによって決定された分割パターンに基づいて、分注プロトコルを作成する。例えば、図４に示すように、３分割の分割パターン２５ｃ（番号３）を選択する場合、その分割パターン２５ｃに基づいて、図５に示すような映像表示モニタ１９の分注プロトコル設定用画面Ｐ１に右端区域ＲＣにある３分割された反応容器マークＭＣの並びが表示される。なお、本実施例での分注プロトコル設定用画面Ｐ１の中寄り左上区域ＲＡにある頻用試薬マークＭＡと中寄り左下区域Ｒａにある常用試薬（合成試薬）マークＭａと左端区域ＲＢにある溶媒マークＭＢについては、従来例と同様なのでその説明を省略する。右端区域ＲＣにある３分割された反応容器マークＭＣについてＡ行目で１列目にある１Ａをマウス２２等で選択指定すると、右端区域ＲＣにある残りの２分割についても、反応容器マークＭＣの１Ａと同じ領域に相当する領域が同時に選択指定される。即ち、右端区域ＲＣ上の反応容器マークＭＣのＡ行目で５列目にある５Ａと、反応容器マークＭＣのＡ行目で９列目にある９Ａとが同時に選択指定される。従って、『分注  合成試薬ラック１Ａから反応ラック１Ａ、５Ａ、９Ａへ２５０ｕＬ』という分注プロトコルが同時に作成される。なお、右端区域ＲＣ上のそれぞれの分割については、図５に示すように、作業者が区別し易いように太線の分割ラインで区分表示したが、作業者が区別し易いように区分表示する方法ならば、例えば分割毎にそれぞれ違う色で区分表示する方法等、特に限定されない。なお、この分注プロトコル作成部２７は、本発明における分注手順作成手段に相当する。
【００３０】
上記の実施例装置の制御系の構成は、パーソナルコンピュータ及びソフトウエア（コンピュータプログラム）を中心に構築されている。また、コントロール部２０内の図示を省略するメモリなどは、ＲＡＭやＲＯＭなどの記憶装置で構成され、画面表示部２３、分注制御部２４、組合せ提示部２５、組合せ選択部２６、分注プロトコル作成部２７などの処理制御部は、それらの処理を行うためのプログラムを実行するＣＰＵなどで構成されている。
【００３１】
続いて、図６に示すフローチャートを参照しながら、上記構成を有する実施例装置におけるこの発明の特徴的部分の処理を説明する。
【００３２】
ステップＳ１（反応ブロックの表示）
作業者はキーボード２１やマウス２２を操作して、図５に示すような分注プロトコル設定用画面Ｐ１を映像表示モニタ１９に表示させる。分注プロトコル設定用画面Ｐ１内に反応容器マークＭＣの並びが表示される。ステップＳ１は、本発明における反応ブロック表示手段の機能に相当する。
【００３３】
ステップＳ２（分割パターンの提示）
映像表示モニタ１９の分注プロトコル設定用画面Ｐ１に表示された反応容器マークＭＣに基づいて、図４に示すような分割提示画面２５Ａ上に分割パターンが提示される。なお、作成時間を低減させるために、ステップＳ１を跳ばしてステップＳ２から始めるように本実施例に係る装置が構成されていても構わない。ステップＳ２は、本発明におけるパターン提示手段の機能に相当する。
【００３４】
ステップＳ３（分割パターンの選択）
作業者は、キーボード２１やマウス２２を操作して、図４に示すように、提示された分割提示画面２５Ａ上の分割パターンを選択する。ステップＳ３は、本発明における組合せ選択手段の機能に相当する。
【００３５】
ステップＳ４（分割パターンに対する反応ブロックの表示）
選択された分割パターンに基づいて、図５に示すように、多分割された反応容器マークＭＣが映像表示モニタ１９の分注プロトコル設定用画面Ｐ１に表示される。ステップＳ４は、本発明における反応ブロック表示手段の機能に相当する。
【００３６】
ステップＳ５（分注プロトコルの設定）
１分割当たりの反応容器マークＭＣの領域に関して、図５に示すように、分注プロトコルを作成する。
【００３７】
ステップＳ６（分注プロトコルの作成）
１分割当たりの領域について分注プロトコルが作成されると、残りの分割についてもその領域に相当する領域について分注プロトコルが同時に作成される。ステップＳ６は、本発明における分注手順作成手段の機能に相当する。
【００３８】
ステップＳ７（分注プロトコルの設定判断）
設定しなければならない分注プロトコルが、なお残っていれば、ステップＳ１に戻り、次の分注プロトコルの設定に取りかかる。設定しなければならない分注プロトコルが無ければ、設定操作は終了である。
【００３９】
上述したステップＳ１〜Ｓ７によって設定された分注プロトコルに基づいて、実施例装置は分注制御部２４を介して、分注工程に応じた指令信号を液体分注部３へ送信して、反応液を分注する。
【００４０】
以上に詳述したように、実施例の自動合成装置によれば、映像表示モニタ１９の分注プロトコル設定用画面Ｐ１と組合せ提示部２５とによって、それぞれの分割パターンが提示される。組合せ選択部２６によってその分割パターンを選択するだけなので、手入力、マウス等の入力設定は不要で、作業者の入力設定ミスを未然に防止することができる。組合せ選択部２６と、分注プロトコル作成部２７とによって、１分割当たりの領域について分注プロトコルが作成されると、残りの分割についてもその領域に相当する領域について分注プロトコルが同時に作成される。また、反応容器２の数が多くなっても、組合せ提示部２５によって分割パターンは予め設定されているので、反応容器２の数または並びに応じて分割パターンを呼び出すことができる。従って、反応容器２の数が多くなっても、分注プロトコルは煩雑化することなく、分注プロトコルの設定までの作業効率が良くなる。
【００４１】
この発明は、上記実施形態に限られることはなく、下記のように変形実施することができる。
（１）上述した実施例では、分割パターンは横に分割されたものであるが、縦に分割されたパターンや、縦横に分割されたパターン等に代表されるような簡易な分割パターンを選択させる構成であってもよい。例えば、図７に示すように、縦の分割パターンを選択させることによって、図５の分注プロトコル設定用画面Ｐ１上では同時に横方向に関して分注プロトコルが作成される。また上記のような複数個の分割パターンを選択させる構成であってもよい。例えば、分割する数を選択した後、縦の分割パターンと横の分割パターンとを提示させて、縦と横との何れか一つを選択させる構成であってもよい。
【００４２】
（２）上述した実施例では、図４の分割提示画面２５Ａと図５の分注プロトコル設定用画面Ｐ１とはそれぞれ同時に画面上に表示されていないが、図８に示すように、前記分割提示画面２５Ａを前記分注プロトコル設定用画面Ｐ１上に重畳表示させることも可能である。上記の場合、分割パターンに応じて多分割された反応容器マークＭＣが変化するので、それぞれの画面を参照しながら分割パターンをその場で決めることができる。例えば、不適当な分割パターンを選択した場合でも、重畳表示されている反応容器マークＭＣに即座に反映されるので、その場で分割パターンを再選択することができる。従って、分注プロトコルをより簡易に設定することができる。また上記構成を有することによって、図６のフローチャートについてステップＳ１からステップＳ５までを１つのステップにまとめることができる。従って、分注プロトコルの設定までの時間の低減を図ることでき、作業効率をより一層上げることができる。
【００４３】
（３）本実施例に係る図６のフローチャートでは、ステップＳ４（分割パターンに対する反応ブロックの表示）の後、ステップＳ５（分注プロトコルの作成）であるが、上記ステップＳ４の後、さらに分割するか否かの判断を作業者が行うステップを設定してもよい。分割すると判断した場合、ステップＳ２（ステップＳ２（分割パターンの提示）に戻って再分割を行い、分割しないと判断した場合、そのまま上記ステップＳ５に跳んでも構わない。
【００４４】
（４）上述した実施例の自動合成装置では、反応系が１組であったが、１組の制御系でコントロールされる同一の反応系が２組設けられている構成の装置が、変形例として挙げられる。
【００４５】
（５）実施例装置は有機自動合成装置であり、また固相反応により化合物が合成される構成であったが、この発明の装置は、無機自動合成装置であってもよいし、また液相反応により化合物が合成される構成の装置であってもよい。
【００４６】
【発明の効果】
以上に詳述したように、請求項１の発明に係る自動合成装置によれば、反応ブロック表示手段とパターン提示手段とによって反応容器マークの並びに対する分割パターンが画面上に表示されて、組合せ選択手段によってその分割パターンを選択するだけなので、手入力、マウス等の入力設定は不要で、作業者の入力設定ミスを未然に防止することができる。組合せ選択手段と分注手順作成手段とによって、１分割当たりの分注手順が作成されると、残りの分割についても分注手順が作成される。また、反応容器の数が多くなっても、パターン提示手段によってその反応容器の数のパターンに応じた分割パターンは予め決まっているので、即座に分割パターンのパターンを選択することができる。その結果、分注プロトコルの設定までの作業効率が良くなる。
【図面の簡単な説明】
【図１】  実施例に係る自動合成装置の全体構成を示すブロック図である。
【図２】  実施例装置の反応系の構成を示す平面図である。
【図３】  実施例装置の反応ブロックの要部構成を示す概略図である。
【図４】  実施例装置の分割提示画面を示す図である。
【図５】  実施例装置の分注プロトコル設定用画面を示す図である。
【図６】  分注プロトコルを設定するまでの流れを示すフローチャートである。
【図７】  実施例装置の変形例における分注プロトコル設定用画面を示す図である。
【図８】  実施例装置の他の変形例における分注プロトコル設定用画面を示す図である。
【図９】  従来の分注プロトコル設定用画面と合成プロトコル作成画面を示す図である。
【図１０】  従来の合成プロトコル作成画面について詳しく示す図である。
【図１１】  従来の分注プロトコル設定用画面について詳しく示す図である。
【符号の説明】
１  …  反応ブロック
２  …  反応容器
３  …  液体分注部
１９  …  映像表示モニタ
２１  …  キーボード
２２  …  マウス
２３  …  画面表示部
２４  …  分注制御部
２５  …  組合せ提示部
２６  …  組合せ選択部
【図１】
0004524509.tif 000002
【図２】
0004524509.tif 000003
【図３】
0004524509.tif 000004
【図４】
0004524509.tif 000005
【図５】
0004524509.tif 000006
【図６】
0004524509.tif 000007
【図７】
0004524509.tif 000008
【図８】
0004524509.tif 000009
【図９】
0004524509.tif 000010
【図１０】
0004524509.tif 000011
【図１１】
0004524509.tif 000012